(57)【要約】【課題】動翼の下流側に設けた俯仰方向に回動可能な静翼に対し、駆動トルクを伝達するための部品点数をできるだけ少なくして、構造を簡単にするとともに、静翼が破断した場合した場合でも安全性を確保できる天井扇風機を提供する。【解決手段】外転型モーター部の回転子に放射状に配設された複数枚の羽根板と、固定子の下方に固定軸を中心に設けた支持台と、支持台に設けた円環状の角度変更ユニットと、角度変更ユニットに設けた静翼保持具に着脱可能に装着される複数枚の静翼板を有し、角度変更ユニットを駆動する１つの静翼駆動モーターにより静翼板の俯仰角度を調整可能としたことにより、複数枚の静翼板を同時に角度変更して保持することができ、部品点数が少なく簡単な構造で風速と送風範囲を調整できる天井扇風機を提供できる。【選択図】図１
2009257142.tif 000002
【特許請求の範囲】
【請求項１】
中心に固定軸を貫通した円盤状の固定子と、この固定子の周りに回転自在に軸支される円環状の回転子とからなる外転型モーター部と、前記回転子に放射状に配設された複数枚の羽根板と、前記固定子の下方に前記固定軸を中心に設けた支持台と、この支持台に設けた円環状の角度変更ユニットと、この角度変更ユニットに設けた静翼保持具に着脱可能に装着される複数枚の静翼板を有し、前記角度変更ユニットを駆動する１つの静翼駆動モーターにより前記静翼板の俯仰角度を調整可能とした天井扇風機。
【請求項２】
角度変更ユニットは、静翼駆動モーターの回転軸に軸支された偏心カムと、この偏心カムにより固定軸周りに回動可能に連結される円環状のラウンドカムと、このラウンドカムに連動するように連結され、水平軸回りに回動可能に軸支される複数のリンケージと、このリンケージと一体的に回動可能に設けた静翼保持具からなる請求項１記載の天井扇風機。
【請求項３】
リンケージの外周面に設けた突起部は、ラウンドカムに設けた係合穴部に摺動可能に挿入され、この突起部は先端に球状部を備え、この球状部の根元にくびれ部を形成してなる請求項２記載の天井扇風機。
【請求項４】
リンケージを横向きの円筒形状に形成し、支持台に一体に設けた保持部は前記リンケージの外周を回動可能に保持する中空円筒形状とした請求項２または３記載の天井扇風機。
【請求項５】
リンケージの回転軸は、外転型モーター部の固定軸中心と前記リンケージの先端を結ぶ各基準線から同一角度αをなす方向に設けた請求項１記載の天井扇風機。
【請求項６】
静翼保持具が係脱可能に装着される嵌合部を静翼板の根元部に設け、この静翼板の嵌合部の上部に、水平方向から仰角方向に回動可能に軸支された可動板部と、この可動板部を嵌合部側へ付勢する押圧スプリングを設け、前記可動板部の裏面に設けた係合突起を前記静翼保持具の外周面に付勢しつつ摺動させたあと、前記静翼保持具に設けた係合穴部に押圧状態で嵌入可能とした請求項１記載の天井扇風機。
【請求項７】
静翼板に回動可能に軸支される可動板部を押圧する押圧スプリングは、リング状に加工した先端折曲部を備え、この先端折曲部を前記可動板部の前端部に配し、前記静翼板を静翼保持具に装着するとき、前記先端折曲部は静翼保持具に設けられた静翼突起部に係合可能とした請求項６記載の天井扇風機。
【請求項８】
静翼板の先端位置を、羽根板の先端側でかつ羽根板全長の６０％から９０％の間に同心円上に設け、静翼板の薄肉部の断面形状は下に凸の円弧形状をなし、前記薄肉部の厚み寸法を静翼板の先端側で順次小さくしてなる請求項６または７記載の天井扇風機。
【請求項９】
可動板部の回動軸となる案内棒に押圧スプリングのリング部を嵌入するとともに、前記可動板部に設けた係合突起を静翼保持具に設けた係合穴部に着脱可能に装着し、前記押圧スプリングの先端に設けた先端折曲部を静翼突起部に係合可能に設け、前記押圧スプリングの後端に設けた後端折曲部を薄板突起部に係合してなる請求項６または７記載の天井扇風機。
【請求項１０】
静翼駆動モーターを付設した角度変更ユニットを、固定子の下方に独立して着脱可能に設けた請求項１記載の天井扇風機。
【発明の詳細な説明】
【技術分野】
【０００１】
本発明は、天井に吊り下げて設置され、直接風の供給による体感温度の低減や室内空気の循環に使用される天井扇風機に関する。
【背景技術】
【０００２】
従来、この種の天井扇風機は電動機の外周に放射状に配した回転する羽根板の下流側に、風向変更するための俯仰角度が回動可能な静翼を配置するものが知られている（例えば、特許文献１参照）。
【０００３】
以下、その天井扇風機について図１７および図１８を参照しながら説明する。
【０００４】
図に示すように、電動機１０４の回転体１０５に複数の羽根板１０７が放射状に配置され、羽根板１０７の下方に非回転部１０６に固定された板状の静翼１１０を複数備えることより、羽根板１０７から流出した送風１１３の周方向成分１１４の運動エネルギーを回収して昇圧することができるので、送風効率を向上できる。また送風１１３の周方向成分１１４と下方成分１１８の割合を変更することにより、送風の到達範囲を変更することができるものである。
【特許文献１】特開２００７−１９８３３７号公報
【発明の開示】
【発明が解決しようとする課題】
【０００５】
このような従来の天井扇風機では、動翼からの気流を調整するために動翼の下流側に複数の静翼を設ける場合は、各静翼の俯仰角度を変更するときに、複数の駆動モータまたは１つの駆動モータの回転トルクを変換して伝達するための複数のギアが必要となるため、伝達するための部品点数が増加して構造が複雑になるという課題があり、また動翼からの送風の繰り返し負荷が静翼に長期間加わると、静翼の根元付近が疲労破壊を起こして破断する場合があり、このとき静翼が落下する可能性があるという課題がある。
【０００６】
本発明は、このような従来の課題を解決するものであり、動翼の下流側に配した静翼の俯仰角度を変更可能に設けた構成において、駆動トルクを伝達するための部品点数をできるだけ少なくして構造を簡単にするとともに、静翼が破断した場合でも安全性を確保できる天井扇風機を提供することを目的とする。
【課題を解決するための手段】
【０００７】
本発明の天井扇風機は、上記目的を達成するために、中心に固定軸を貫通した円盤状の固定子と、この固定子の周りに回転自在に軸支される円環状の回転子とからなる外転型モーター部と、前記回転子に放射状に配設された複数枚の羽根板と、前記固定子の下方に前記固定軸を中心に設けた支持台と、この支持台に設けた円環状の角度変更ユニットと、この角度変更ユニットに設けた静翼保持具に着脱可能に装着される複数枚の静翼板を有し、前記角度変更ユニットを駆動する１つの静翼駆動モーターにより前記静翼板の俯仰角度を調整可能としたものである。
【０００８】
また、他の手段は、角度変更ユニットは、静翼駆動モーターの回転軸に軸支された偏心カムと、この偏心カムにより固定軸周りに回動可能に連結される円環状のラウンドカムと、このラウンドカムに連動するように連結され、水平軸回りに回動可能に軸支される複数のリンケージと、このリンケージと一体的に回動可能に設けた静翼保持具からなるものである。
【０００９】
また、他の手段は、リンケージの外周面に設けた突起部は、ラウンドカムに設けた係合穴部に摺動可能に挿入され、この突起部は先端に球状部を備え、この球状部の根元にくびれ部を形成してなるものである。
【００１０】
また、他の手段は、リンケージを横向きの円筒形状に形成し、支持台に一体に設けた保持部は前記リンケージの外周を回動可能に保持する中空円筒形状としたものである。
【００１１】
また、他の手段は、リンケージの回転軸は、外転型モーター部の固定軸中心と前記リンケージの先端を結ぶ各基準線から同一角度αをなす方向に設けたものである。
【００１２】
また、他の手段は、静翼保持具が係脱可能に装着される嵌合部を静翼板の根元部に設け、この静翼板の嵌合部の上部に、水平方向から仰角方向に回動可能に軸支された可動板部と、この可動板部を嵌合部側へ付勢する押圧スプリングを設け、前記可動板部の裏面に設けた係合突起を前記静翼保持具の外周面に付勢しつつ摺動させたあと、前記静翼保持具に設けた係合穴部に押圧状態で嵌入可能としたものである。
【００１３】
また、他の手段は、静翼板に回動可能に軸支される可動板部を押圧する押圧スプリングは、リング状に加工した先端折曲部を備え、この先端折曲部を前記可動板部の前端部に配し、前記静翼板を静翼保持具に装着するとき、前記先端折曲部は静翼保持具に設けられた静翼突起部に係合可能としたものである。
【００１４】
また、他の手段は、静翼板の先端位置を、羽根板の先端側でかつ羽根板全長の６０％から９０％の間に同心円上に設け、静翼板の薄肉部の断面形状は下に凸の円弧形状をなし、前記薄肉部の厚み寸法を静翼板の先端側で順次小さくしてなるものである。
【００１５】
また、他の手段は、可動板部の回動軸となる案内棒に押圧スプリングのリング部を嵌入するとともに、前記可動板部に設けた係合突起を静翼保持具に設けた係合穴部に着脱可能に装着し、前記押圧スプリングの先端に設けた先端折曲部を静翼突起部に係合可能に設け、前記押圧スプリングの後端に設けた後端折曲部を薄板突起部に係合してなるものである。
【００１６】
また、他の手段は、静翼駆動モーターを付設した角度変更ユニットを、固定子の下方に独立して着脱可能に設けたものである。
【００１７】
この構成により、動翼の下流側に配した静翼の俯仰角度を変更可能に設けた構成において、駆動トルクを伝達するための部品点数をできるだけ少なくして構造を簡単にするとともに、静翼が破断した場合でも安全性を確保できる天井扇風機が得られる。
【発明の効果】
【００１８】
本発明によれば、静翼保持具に着脱可能に装着される複数枚の静翼板を、一度に同一角度に変更して保持することができ、部品点数が少なく簡単な構造で風速と送風範囲を調整することができる。
【００１９】
また、静翼駆動モーターは、偏心カムを介して、ラウンドカムを円弧軌道の往復運動をさせ、ラウンドカムの長穴部に係合する突起部を有するリンケージを水平軸中心に回動させ、リンケージに固定した静翼板保持具に装着される静翼板の俯仰角度を可変することができる。
【００２０】
また、リンケージの突起部は、先端に球状部と根元にくびれ部を備えているので、ラウンドカムの長穴部と固く噛み合わないようにして、円滑に駆動することができる。
【００２１】
また、静翼保持具が一体に固定されたリンケージ部は中空円筒形状の支持台に外周部分が保持されることにより、風圧の変動に抗して水平軸方向および回動角度を維持することができ、静翼板による風向変更機能を確実に発揮させることができる。
【００２２】
また、羽根板がいずれの回転位置にあっても、静翼板は羽根板の直下に重合しない配置とすることができ、振動や騒音の発生の少ない静かな送風運転が実現できる。
【００２３】
また、可動板部の係合突起が静翼保持具の嵌合部の表面を進行し、静翼保持具の係合穴部に嵌り込んで装着されるので、静翼板の装着を触感で確認でき、静翼板が抜けないように保持することができる。
【００２４】
また、静翼板を静翼保持具に装着するときに、同時に静翼板の薄板部と静翼保持具の静翼突起部とが押圧スプリングにより連結され、静翼板の破断時に薄板部が分離して落下しないように安全に繋ぎとめることができる。
【００２５】
また、羽根板の送風効率のよい範囲内に静翼板が入るように全長を設定し、静翼板が撓まないように強度を保ちながら効率よく送風方向を変更させることができ、たわみに対する重力負荷も軽減することができる。
【００２６】
また、可動板部の構成が簡単で部品点数を削減できるとともに、静翼板の根元部と薄板部の間で破断した場合や、可動板部が破損して外れた場合でも、静翼板の落下を未然に防いで安全性を確保することができる。
【００２７】
また、角度変更ユニットは照明ユニットなどの別オプションと交換するときも大掛かりな設置工事をする必要がなく、簡単な交換作業で行なうことができるという効果のある天井扇風機を提供することができる。
【発明を実施するための最良の形態】
【００２８】
本発明の請求項１記載の天井扇風機は、中心に固定軸を貫通した円盤状の固定子と、この固定子の周りに回転自在に軸支される円環状の回転子とからなる外転型モーター部と、前記回転子に放射状に配設された複数枚の羽根板と、前記固定子の下方に前記固定軸を中心に設けた支持台と、この支持台に設けた円環状の角度変更ユニットと、この角度変更ユニットに設けた静翼保持具に着脱可能に装着される複数枚の静翼板を有し、前記角度変更ユニットを駆動する１つの静翼駆動モーターにより前記静翼板の俯仰角度を調整可能としたものであり、固定子の下方に固定軸を中心に支持台を設け、この支持台に装着される１つの静翼駆動モーターの垂直軸を角度変更ユニットに連結することで、角度変更ユニットに設けた静翼保持具を、水平軸を中心に回動可動させ、静翼保持具に着脱可能に装着される複数枚の静翼板を、一度に同一角度に変更して保持することができ、部品点数が少なく簡単な構造で風速と送風範囲を調整することができ、これにより静翼の俯仰角度を変更することにより、天井扇風機の設置場所や使用状況に応じて送風範囲と送風速度を変更することができるものであり、まず静翼の俯仰角度を大きくすることにより、送風の旋回方向の成分を到達範囲が狭まる下方向成分に変更して、到達範囲が狭まるとともに下向きの風速を上げることができ、また静翼角度を小さくすることにより、送風の到達範囲を広げて旋回方向の成分を大きくして、部屋全体に低風速の気流を行き渡らせることができるという作用を有する。
【００２９】
また、角度変更ユニットは、静翼駆動モーターの回転軸に軸支された偏心カムと、この偏心カムにより固定軸周りに回動可能に連結される円環状のラウンドカムと、このラウンドカムに連動するように連結され、水平軸回りに回動可能に軸支される複数のリンケージと、このリンケージと一体的に回動可能に設けた静翼保持具からなるものであり、静翼駆動モーターの軸回転動作を、偏心カムを介して、ラウンドカムが支持台と同心上で水平面上を一定角度の往復円弧軌道を描く運動に変換され、このラウンドカムに配置される長穴部と擦動可能に係合する突起部を有するリンケージは、支持台の側面に水平軸を中心に回動可能に保持され、ラウンドカムの動作と連動して水平軸を中心に一定角度の往復運動に変換され、そのリンケージに固定される円筒状の静翼保持具を水平軸を中心に回動させ、静翼板の俯仰角度を可変することができるという作用を有する。
【００３０】
また、リンケージの外周面に設けた突起部は、ラウンドカムに設けた係合穴部に摺動可能に挿入され、この突起部は先端に球状部を備え、この球状部の根元にくびれ部を形成してなるものであり、支持台と同心上で回動するラウンドカムの長穴部は水平面上で円軌道を描きながら往復の移動を行い、支持台の側面に水平軸を中心に回動するリンケージの突起部は、垂直面上を水平軸を基準に回動する軌道を描くが、ラウンドカムの長穴部に球状部とくびれ部を備えたリンケージの突起部が契合しているので、リンケージが回動する水平軸とラウンドカムまでの中心間距離がわずかに変位しても、ラウンドカムの長穴部とリンケージの突起部が固く噛み合わないように、円滑に駆動できるようになるという作用を有する。
【００３１】
また、リンケージを横向きの円筒形状に形成し、支持台に一体に設けた保持部は前記リンケージの外周を回動可能に保持する中空円筒形状としたものであり、静翼板が取り付けられた円筒形状の静翼保持具は、静翼板の重量および風圧の負荷と角度変更時の変動負荷を支持することになるが、静翼保持具が一体に固定されたリンケージ部は中空円筒形状の支持台に外周部分が保持されることにより、水平軸を中心にして所定角度に回動可能に強固に軸支されているので、静翼板の重量および風圧の負荷に抗して下方への垂れ下がりを抑制して水平軸を水平に維持するとともに、静翼板の回動による負荷変動に対しても風圧の変動に抗して水平軸方向および回動角度を維持することができ、静翼板による風向変更機能を確実に発揮させることができるという作用を有する。
【００３２】
また、リンケージの回転軸は、外転型モーター部の固定軸中心と前記リンケージの先端を結ぶ各基準線から同一角度αをなす方向に設けた請求項１記載の天井扇風機としたものであり、複数の羽根板は外転型モーター部の垂直中心軸を中心にして等角度で放射状に配設されるが、静翼板を支持するリンケージの回転軸を外転型モーター部の固定軸中心と前記リンケージの先端を結ぶ各基準線から同一角度αをなす方向に設けることにより、羽根板がいずれの回転位置にあっても、静翼板は羽根板の直下に重合しない配置とすることができ、羽根板に近接した静翼板の干渉による急激な圧力変動を抑えることができ、振動や騒音の発生の少ない静かな送風運転が実現できるという作用を有する。
【００３３】
また、静翼保持具が係脱可能に装着される嵌合部を静翼板の根元部に設け、この静翼板の嵌合部の上部に、水平方向から仰角方向に回動可能に軸支された可動板部と、この可動板部を嵌合部側へ付勢する押圧スプリングを設け、前記可動板部の裏面に設けた係合突起を前記静翼保持具の外周面に付勢しつつ摺動させたあと、前記静翼保持具に設けた係合穴部に押圧状態で嵌入可能としたとしたものであり、静翼保持具の保持嵌合部と、静翼板の根元部に嵌合部を覆うような中空円筒形状部とが着脱可能に嵌合し、静翼板の嵌合部の上部に仰角方向のみに回動可能に軸支される可動板部を設け、可動板部の裏側に設けた係合突起は押圧スプリングによって常に静翼保持具の保持嵌合部に押し付けられており、静翼板の中空円筒形状部を静翼保持具の保持嵌合部に嵌入するときは、可動板部の係合突起が静翼保持具の保持嵌合部の表面に当接して押し上げられながら進行し、最終的に係合突起は静翼保持具の係合穴部に嵌り込んで装着され、押圧スプリングにより嵌合力が維持されるので、静翼板が所定位置に確実に装着されたことを触感で確認することができるとともに、装着された静翼板が抜け落ちないように保持することができるという作用を有する。
【００３４】
また、静翼板に回動可能に軸支される可動板部を押圧する押圧スプリングは、リング状に加工した先端折曲部を備え、この先端折曲部を前記可動板部の前端部に配し、前記静翼板を静翼保持具に装着するとき、前記先端折曲部は静翼保持具に設けられた静翼突起部に係合可能としたものであり、押圧スプリングは静翼板に回動可能に設置される可動板部に設置され、押圧スプリングの一端に設けた係合折曲部は静翼板の薄板部に設けた薄板突起部に係合し、他端に設けた先端折曲部は静翼板を静翼保持具に装着するときに、可動板部の係合突起が静翼保持具の保持嵌合部に持ち上げられて進行し、さらに係合穴部に嵌入したときは、可動板部に固定された押圧スプリングの他端の先端折曲部も、同時に静翼保持具の薄板突起部に係合するので、静翼板の薄板部と静翼保持具の薄板突起部とが押圧スプリングにより連結され、静翼板の破断時に薄板部が分離して落下しないように繋ぎ止めることができるという作用を有する。
【００３５】
また、静翼板の先端位置を、羽根板の先端側でかつ羽根板全長の６０％から９０％の間に同心円上に設け、静翼板の薄肉部の断面形状は下に凸の円弧形状をなし、前記薄肉部の厚み寸法を静翼板の先端側で順次小さくしてなるものであり、天井扇風機の羽根板は、羽根全長の中央付近から外周側の途中までの羽根効率がよく、具体的には羽根全長の６０％から９０％の間が送風効率がよく、特に７５％前後で最も送風効率がよくなる特性を有しているので、この羽根板の送風効率のよい範囲内に静翼板が入るように全長を設定し、静翼板の薄肉部の断面形状を下に凸の円弧形状として羽根板の送風負荷を受けることで、静翼板が撓まないように強度を保ちながら効率よく送風方向を変更させることができ、また薄肉部の厚み寸法を静翼板の先端側で順次小さくすることで、たわみに対する重力負荷を軽減することができるという作用を有する。
【００３６】
また、可動板部の回動軸となる案内棒に押圧スプリングのリング部を嵌入するとともに、前記可動板部に設けた係合突起を静翼保持具に設けた係合穴部に着脱可能に装着し、前記押圧スプリングの先端に設けた先端折曲部を静翼突起部に係合可能に設け、前記押圧スプリングの後端に設けた後端折曲部を薄板突起部に係合してなるものであり、可動板部に設けた案内棒が可動板部の回動軸と押圧スプリングの支点を兼ねることができ、可動板部の構成が簡単で部品点数を削減できるとともに、静翼板を静翼保持具に装着したときは、押圧スプリングの先端折曲部は静翼突起部に嵌合し、押圧スプリングの後端折曲部は薄板突起部に係合しているので、静翼板の根元部と薄板部の間で破断した場合や、可動板部が破損して外れた場合でも、静翼板は静翼保持具に押圧スプリングで連結されて落下しないよう保持できるため、静翼板の落下を未然に防いで安全性を確保することができるという作用を有する。
【００３７】
また、静翼駆動モーターを付設した角度変更ユニットを、固定子の下方に独立して着脱可能に設けたものであり、天井扇風機本体の下部にオプションとして角度変更ユニットを追加するときに、天井に本体を設置した状態でも追加して組立でき、また照明ユニットなどの別オプションと交換するときも大掛かりな設置工事をする必要がなく、簡単な交換作業で行なうことができるという作用を有する。
【００３８】
以下、本発明の実施の形態について、図面を参照しながら説明する。
【００３９】
（実施の形態１）
図１〜図８に示すように、外転型モーター部４は中心に固定軸１を貫通した円盤状の固定子２と、この固定子２の周りに回転自在に軸支される円環状の回転子３とからなるものであり、複数枚の羽根板５が回転子３に放射状に配設されている。固定子２の下方に固定軸１を中心にして支持台６を着脱可能に固定している。支持台６には円環状の角度変更ユニット７を取り付け、角度変更ユニット７には複数枚の静翼板９が着脱可能に装着される静翼保持具８が俯仰回動可能に設けられ、角度変更ユニット７を駆動する１つの静翼駆動モーター１０により、静翼保持具８を介して、静翼板９の俯仰角度を調整可能としている。
【００４０】
すなわち、角度変更ユニット７は、静翼駆動モーター１０の回転軸１０ａに軸支された偏心カム１１と、この偏心カム１１により固定軸１周りに回動可能に連結される円環状のラウンドカム１２と、このラウンドカム１２に連動するように連結され、水平軸回りに回動可能に軸支される複数のリンケージ１３と、このリンケージ１３と一体的に回動可能に設けた静翼保持具８からなるものである。
【００４１】
また、リンケージ１３の外周面に設けた突起部１３ａは、ラウンドカム１２に設けた長穴部１２ａに摺動可能に挿入され、この突起部１３ａは先端に球状部１３ｂを備え、この球状部１３ｂの根元にくびれ部１３ｃを形成している。
【００４２】
また、リンケージ１３を横向きの円筒形状に形成し、支持台６に一体に設けた保持部６ａはリンケージ１３の外周を回動可能に保持する中空円筒形状としている。
【００４３】
また、リンケージ１３の回転軸は、外転型モーター部４の固定軸１中心とリンケージ１３の先端を結ぶ各基準線から同一角度αをなす方向に設けている。
【００４４】
なお、静翼駆動モーター１０を付設した角度変更ユニット７を、固定子２の下方に独立して着脱可能に設けている。
【００４５】
上記構成により、固定子２の下方に固定軸１を中心に支持台６を設け、この支持台６に装着される１つの静翼駆動モーター１０の垂直軸を角度変更ユニット７に連結することで、角度変更ユニット７に設けた静翼保持具８を、水平軸を中心に回動可動させ、静翼保持具８に着脱可能に装着される複数枚の静翼板９を、一度に同一角度に変更して保持することができ、部品点数が少なく簡単な構造で風速と送風範囲を調整することができる。
【００４６】
このように静翼の俯仰角度を変更することにより、天井扇風機の設置場所や使用状況に応じて送風範囲と送風速度を変更することができるものであり、まず静翼の俯仰角度を大きくすることにより、送風の旋回方向の成分を到達範囲が狭まる下方向成分に変更して、到達範囲が狭まるとともに下向きの風速を上げることができ、また静翼角度を小さくすることにより、送風の到達範囲を広げて旋回方向の成分を大きくして、部屋全体に低風速の気流を行き渡らせることができる。
【００４７】
また、図５に示すように、静翼駆動モーター１０の軸回転動作を、偏心カム１１を介して、ラウンドカム１２が支持台６と同心上で水平面上を一定角度１１ｔの往復円弧軌道を描く移動に変換され、このラウンドカム１２に配置される長穴部１２ａは角度１２ｔの範囲で移動する。長穴部１２ａと擦動可能に係合する突起部１３ａを有するリンケージ１３は、支持台６の側面に水平軸を中心に回動可能に保持され、ラウンドカム１２の動作と連動して水平軸を中心に一定角度１３ｔの往復の移動に変換され、リンケージ１３に固定される円筒状の静翼保持具８を水平軸中心に回動させ、静翼板９の俯仰角度９ｔの範囲で可変することができる。
【００４８】
また、支持台６と同心上で回動するラウンドカム１２の長穴部１２ａは水平面上で円軌道を描きながら往復の移動ができるもので、支持台６の側面に水平軸を中心に回動するリンケージ１３の突起部１３ａは長穴部１２ａに挿入されて係合しているので、長穴部１２ａの水平面上の動きを水平軸を基準に回動する動きに変換することができる。ここでリンケージ１３の突起部１３ａが球状部１３ｂとくびれ部１３ｃを組み合わせた形状としているので、リンケージ１３が回動する水平軸とラウンドカム１２の長穴部１２ａまでの距離がわずかに変位しても、ラウンドカム１２の長穴部１２ａとリンケージ１３の突起部１３ａがこじれず、固く噛み合わないようにすることができ、円滑に駆動できるようになる。なお、シリコングリースなどの潤滑剤を塗布することにより、さらに円滑に動作させることができる。
【００４９】
また、静翼板９が取り付けられた円筒形状の静翼保持具８は、静翼板９の重量および風圧の負荷と角度変更時の変動負荷を支持することになるが、静翼保持具８が一体に固定されたリンケージ１３部は中空円筒形状の支持台６に外周部分が保持されることにより、水平軸を中心にして所定角度に回動可能に強固に軸支されているので、静翼板９の重量および風圧の負荷に抗して下方への垂れ下がりを抑制して水平軸を水平に維持するとともに、静翼板９の回動による負荷変動に対しても風圧の変動に抗して水平軸方向および回動角度を維持することができ、静翼板９による風向変更機能を確実に発揮させることができる。
【００５０】
また、複数の羽根板５は外転型モーター部４の垂直中心軸を中心にして等角度で放射状に配設されるが、静翼板９を支持するリンケージ１３の回転軸を外転型モーター部４の固定軸１中心とリンケージ１３の先端を結ぶ各基準線から同一角度αをなす方向に設けることにより、羽根板５がいずれの回転位置にあっても、静翼板９は羽根板５の直下に重合しない配置とすることができ、羽根板５に近接した静翼板９の干渉による急激な圧力変動を抑えることができ、振動や騒音の発生の少ない静かな送風運転が実現できる。
【００５１】
また、天井扇風機本体の下部にオプションとして角度変更ユニット７を追加するときに、天井に本体を設置した状態でも追加して組立でき、また照明ユニットなどの別オプションと交換するときも大掛かりな設置工事をする必要がなく、簡単な交換作業で実施することができるものである。
【００５２】
（実施の形態２）
図９〜図１６に示すように、静翼保持具８が係脱可能に装着される嵌合部９ａを静翼板９の根元部に設け、静翼板９の嵌合部９ａの上部に、水平方向から仰角方向に回動可能に軸支された可動板部１４と、可動板部１４を嵌合部９ａ側へ付勢する押圧スプリング１５を設け、可動板部１４の裏面に設けた係合突起１４ａを、嵌合部９ａの嵌合穴９ｃを貫通した状態で、静翼保持具８の外周面に付勢しつつ摺動させたあと、静翼保持具８に設けた係合穴部８ａに押圧状態で嵌入可能としている。
【００５３】
また、静翼板９に回動可能に軸支される可動板部１４を押圧する押圧スプリング１５は、リング状に加工した先端折曲部１５ａを備え、先端折曲部１５ａを可動板部１４の前端部１４ｂに配し、静翼板９を静翼保持具８に装着するとき、先端折曲部１５ａは静翼保持具８に設けられた静翼突起部８ｂに係合可能としている。
【００５４】
また、静翼板９の先端位置を、羽根板５全長の６０％から９０％の間に同心円上に設け、静翼板９の薄肉部９ｂの断面形状は下に凸の円弧形状をなし、薄肉部の厚み寸法を静翼板９の先端側で順次小さくしている。
【００５５】
また、可動板部１４の回動軸となる案内棒１４ｃに押圧スプリング１５のリング部１５ｂを嵌入するとともに、可動板部１４の嵌合突起１４ａを静翼保持具８の保持嵌合部８ｃに設けた係合穴部８ａに着脱可能に装着し、押圧スプリング１５の先端に設けた先端折曲部１５ａを静翼保持具８の静翼突起部８ｂに係合可能に設け、押圧スプリング１５の後端に設けた後端折曲部１５ｃを薄板突起部９ｄに係合している。
【００５６】
上記構成により、静翼保持具８の保持嵌合部８ｃと、静翼板９の嵌合部９ａとが着脱可能に嵌合し、静翼板９の嵌合部９ａの上部に仰角方向のみに回動可能に軸支される可動板部１４を設け、可動板部１４の裏側に設けた係合突起１４ａは押圧スプリング１５によって常に静翼保持具８の保持嵌合部８ｃに押し付けられており、静翼板９の中空円筒形状部を静翼保持具８の保持嵌合部８ｃに嵌入するときは、可動板部１４の係合突起１４ａが静翼保持具８の保持嵌合部８ｃの表面に当接して押し上げられながら進行し、最終的に係合突起１４ａは静翼保持具８の係合穴部８ａに嵌り込んで装着され、押圧スプリング１５により嵌合力が維持されるので、静翼板９が所定位置に確実に装着されたことを触感で確認することができるとともに、装着された静翼板９が抜け落ちないように保持することができる。
【００５７】
また、押圧スプリング１５は静翼板９に回動可能に設置される可動板部１４に設置され、押圧スプリング１５の一端に設けた後端折曲部１５ｃは静翼板９の薄板部に設けた薄板突起部９ｄに係合し、他端に設けた先端折曲部１５ａは静翼板９を静翼保持具８に装着するときに、可動板部１４の係合突起１４ａが静翼保持具８の保持嵌合部８ｃに持ち上げられて進行し、さらに係合穴部８ａに嵌入したときは、可動板部１４に固定された押圧スプリング１５の他端の先端折曲部１５ａも、同時に静翼保持具８の静翼突起部８ｂに係合するので、静翼板９の薄板部９ｂと静翼保持具８の静翼突起部８ｂとが押圧スプリング１５により連結され、静翼板９の破断時に薄板部が分離して落下しないように繋ぎ止めることができる。
【００５８】
また、図１３に示すように、天井扇風機の羽根板５の中央付近から外周側の途中までの羽根効率がよく、具体的には動翼の羽根全径Ｂの６０％から９０％の間において送風効率がよく、特に７５％前後で最も送風効率がよくなる特性を有しているので、この羽根板５の送風効率のよい範囲内に静翼板９が入るように静翼の全径Ａを設定している。また静翼板９の薄肉部の断面形状を下に凸の円弧形状として羽根板の送風負荷を受けることで、静翼板９が撓まないように強度を保ちながら効率よく送風方向を変更させることができる。さらに薄肉部の厚み寸法を静翼板９の先端側で順次小さくすることで、たわみに対する重力負荷を軽減することができる。
【００５９】
また、可動板部１４に設けた案内棒１４ｃが可動板部１４の回動軸と押圧スプリング１５の支点を兼ねることができ、可動板部１４の構成が簡単で部品点数を削減できるとともに、静翼板９を静翼保持具８に装着したときは、押圧スプリング１５の先端折曲部１５ａは静翼保持具８の静翼突起部８ｂに嵌合し、押圧スプリング１５の後端折曲部１５ｃは薄板突起部９ｄに係合しているので、静翼板９の根元部と薄板部の間で破断した場合や、可動板部１４が破損して外れた場合でも、静翼板９は静翼保持具８に押圧スプリング１５で連結されて落下しないよう保持できるため、静翼板９の落下を未然に防いで安全性を確保することができるものである。
【図面の簡単な説明】
【００６０】
【図１】本発明の実施の形態１の天井扇風機の要部断面図
【図２】同、天井扇風機の外観斜視図
【図３】同、角度変更ユニットの裏面を上にしたときの分解斜視図
【図４】同、角度変更ユニットの裏面を上にしたときの外観斜視図
【図５】（イ）同、角度変更ユニットのラウンドカムの動作を示す要部拡大図、（ロ）同、角度変更ユニットのリンケージと静翼板の動作を示す要部拡大図
【図６】同、リンケージの概略断面図
【図７】同、リンケージと静翼保持具の関係を示す要部断面図
【図８】同、天井扇風機の静翼板と羽根板の関係を示す説明図
【図９】実施の形態２の天井扇風機の静翼板と可動板部の関係を示す分解斜視図
【図１０】同、静翼保持具と静翼板の組み立て時の要部断面図
【図１１】（イ）同、静翼保持具と静翼板の組み立て前の外観斜視図、（ロ）同、静翼保持具と静翼板の組み立て中の外観斜視図、（ハ）同、静翼保持具と静翼板の組み立て後の外観斜視図
【図１２】同、静翼板の組み立て時の押圧スプリングの状態を示す要部断面図
【図１３】同、天井扇風機の羽根板全長と静翼板全長の関係を示す下面図
【図１４】同、静翼板の外観斜視図
【図１５】同、静翼板の外観側面図
【図１６】（イ）同、支持台のない天井扇風機の外観側面図、（ロ）同、支持台と静翼板を設けた天井扇風機の外観側面図
【図１７】（ａ）従来の天井扇風機の外観斜視図、（ｂ）同、天井扇風機の外観下面図
【図１８】（ａ）同、天井扇風機の要部外観側面図、（ｂ）同、天井扇風機の風の流れを示す外観側面図
【符号の説明】
【００６１】
１      固定軸
２      固定子
３      回転子
４      外転型モーター部
５      羽根板
６      支持台
６ａ    保持部
７      角度変更ユニット
８      静翼保持具
８ａ    係合穴部
８ｂ    静翼突起部
８ｃ    保持嵌合部
９      静翼板
９ａ    嵌合部
９ｂ    薄肉部
９ｃ    嵌合穴
９ｄ    薄板突起部
１０    静翼駆動モーター
１０ａ  回転軸
１１    偏心カム
１２    ラウンドカム
１２ａ  長穴部
１３    リンケージ
１３ａ  突起部
１３ｂ  球状部
１３ｃ  くびれ部
１４    可動板部
１４ａ  係合突起
１４ｂ  前端部
１４ｃ  案内棒
１５    押圧スプリング
１５ａ  先端折曲部
１５ｂ  リング部
１５ｃ  後端折曲部
【図１】
2009257142.tif 000003
【図２】
2009257142.tif 000004
【図３】
2009257142.tif 000005
【図４】
2009257142.tif 000006
【図５】
2009257142.tif 000007
【図６】
2009257142.tif 000008
【図７】
2009257142.tif 000009
【図８】
2009257142.tif 000010
【図９】
2009257142.tif 000011
【図１０】
2009257142.tif 000012
【図１１】
2009257142.tif 000013
【図１２】
2009257142.tif 000014
【図１３】
2009257142.tif 000015
【図１４】
2009257142.tif 000016
【図１５】
2009257142.tif 000017
【図１６】
2009257142.tif 000018
【図１７】
2009257142.tif 000019
【図１８】
2009257142.tif 000020